(57)【要約】【課題】魚を任意な時に大きさに応じて分離することができ、しかも構造も簡単である魚分離部を備えた漁網を提供すること。【解決手段】網本体２の一部に当該網本体２より目合いの大きい分離目合い部２１を設け、その分離目合い部２１の外側に当該分離目合い部２１を開放・隠蔽自在とする当該分離目合い部２１より目合いの小さいフリー網部２２を設けたことを特徴とする。【選択図】図２
2006304787.tif 000002
【特許請求の範囲】
【請求項１】
網本体の一部に当該網本体より目合いの大きい分離目合い部を設け、その分離目合い部の外側に当該分離目合い部を開放・隠蔽自在とする当該分離目合い部より目合いの小さいフリー網部を設けたことを特徴とする魚分離部を備えた漁網。
【請求項２】
前記分離目合い部のフリー網部の反対側に、当該分離目合い部の全体を隠蔽する大きさを有するとともに、目合いの大きさが当該分離目合い部より小さく、かつ、前記フリー網部より大きい副分離網を着脱自在に設けたことを特徴とする請求項１に記載の魚分離部を備えた漁網。
【請求項３】
前記分離目合い部を大型クラゲを漁網の外部へ排出できる大きさの目合いに形成するとともに、前記副分離網を前記分離目合い部との間に前記大型クラゲを収容できるように設置したことを特徴とする請求項２に記載の魚分離部を備えた漁網。
【請求項４】
前記分離目合い部を大型クラゲより小さい目合いで、かつ、大型クラゲを漁網の外部に排出する時に大型クラゲを切断できる素材によって形成したことを特徴とする請求項３に記載の魚分離部を備えた漁網。
【請求項５】
前記フリー網部の上辺部は分離目合い部の上辺部に着脱自在とされているとともに沈降用の沈子が設けられており、フリー網部の他の辺は分離目合い部の他の辺に固着されていることを特徴とする請求項１から請求項４のいずれか１項に記載の魚分離部を備えた漁網。
【請求項６】
前記漁網は、旋網、定置網、棒受網、生簀網のいずれかからなることを特徴とする請求項１から請求項５のいずれか１項に記載の魚分離部を備えた漁網。
【発明の詳細な説明】
【技術分野】
【０００１】
本発明は、魚分離部を備えた漁網に係り、特に、魚を大きさに応じて分離するのに好適な魚分離部を備えた漁網に関する。
【背景技術】
【０００２】
一般に、漁網は魚の捕獲用や養殖用等と広い用途に用いられている。
【０００３】
例えば、魚の捕獲用の漁網の一例として旋網をあげることができる。この旋網は旋網漁法に利用されるものであり、魚群を包囲するようにして円形に網を設置し、網裾を締めて下方から魚群が脱出するのを防止するとともに、囲いを次第に狭めて魚群を漁獲するものである。
【０００４】
図９は、このような旋網漁法に用いられている旋網１を示したものであり、この旋網１は、略矩形状の長尺な網本体２を有しており、この網本体２は、大手部２ａ、身網部２ｂおよび魚捕部２ｃの範囲に区分けされている。
【０００５】
前記網本体２の図９における上端部には、網本体２に一定の浮力を付与する複数の浮子４が、長手方向に所定の間隔を設けて配設されている。
【０００６】
一方、前記網本体２の図９における下端部には、網本体２に一定の重力を付与することによってこの網本体２を海中に沈めるための沈子５が配設されている。
【０００７】
従って、海中において、前記網本体２は、その沈子５側の端部が下になり、浮子４側が上になった状態で立つことができるようになっている。
【０００８】
このため、網本体２を図１０に示すように、魚群の周囲に円筒状に張り巡らせることができ、魚群を包囲しつつ漁獲することができるようになっている。
【０００９】
前記網本体２の前記沈子５側の端部には、環吊綱１１を介して複数の環状のパースリング７が、長手方向に所定の間隔を設けて配設されている。
【００１０】
そして、前記パースリング７には、長尺な紐状のパースライン８が貫通されており、このパースライン８によって網本体２の前記沈子５側の端部を含めた沈子側縁部９を絞ることにより、魚群が包囲網から逃げるのを防止することができるようになっている。
【００１１】
また、前記網本体２の大手側の端部には、網本体２に牽引力を付与して揚網を行うための紐状の大手綱１０が配設されている。
【００１２】
さらに、前記網本体２には、必要に応じて、船首絞り綱１２および船首浮子寄せ綱１４等の種々の綱が配設されるようになっている。
【００１３】
このような構成を有する旋網１を用いた操業は、魚群を囲むように旋網１を海中に投網し、続いて旋網１の底部を閉めながら揚網し、図１１に示すように、魚締めを行うだけの網地（魚捕部２ｃとこれに連結されている身網部２ｂの一部）を残して旋網１によって魚を捕獲する。この魚締めを行う場合にどれだけの網地を残すかは、漁獲量等に応じて適宜判断する。その後、図示しない運搬船内へ魚捕部２ｃのすくい網１５によって魚を取り込むようにしている（特許文献１参照）。
【００１４】
また、魚の養殖用の漁網の一例として生簀網をあげることができる。
【００１５】
例えば、旋網や定置網等の漁法によって漁獲された魚は、活魚として持ち帰り、生簀網内において養殖された後に出荷する場合が増えている。
【００１６】
しかし、これらの漁法によって漁獲された魚は、体長や体幅あるいは体高等の大きさに偏りがでてしまうのが現状であった。
【００１７】
また、漁獲した魚のみでなく、仔魚から生簀網内で養殖された養殖魚であっても、成長が進むにつれて大きさが異なってしまう場合があった。
【００１８】
このように大きさが異なる魚を、何らの峻別もせずにまとめて出荷する場合、魚価を下げてしまうこととなり、採算が合わなくなる。
【００１９】
そこで、従来から、漁獲後に生簀網内で養殖された魚あるいは当初から養殖されている魚を大小選別することが行われていた。具体的には、大きさの異なる魚が養殖されている生簀網内から魚をすくい網等を用いてすくい出した後に、剛性の格子状の篩（ふるい）内に放出する。そして、篩を抜け出る魚を元の生簀に戻し、篩内に残留する魚を新たな生簀網に移すことによって大小を選別するようになっている（特許文献２参照）。
【００２０】
【特許文献１】特開２００３−０００１００号公報
【特許文献２】特開平０５−１１５２３０号公報
【発明の開示】
【発明が解決しようとする課題】
【００２１】
近年漁業資源の保護・育成の観点より漁獲対象魚以外の小型魚は逃避させることが行われている。
【００２２】
しかしながら、旋網においては、良好に小型魚のみを分離して網外へ逃避させる旋網は未だに開発されていなかった。
【００２３】
また、魚を漁獲している定置網や棒受網等においては、漁獲した大小様々な魚から所定の大きさの魚を分離して取出して生簀網に移したいのであるが、簡単に魚を分離することができなかった。
【００２４】
また、前記のように形成されている生簀網においては、魚が篩に接触することによって魚体が損傷していしまうことが多く、却って商品価値を下げてしまっていた。更に、一定の重量を有する剛性の篩を動かすために多大な労力を要し、効率的な分離ができなかった。
【００２５】
また、旋網、定置網、棒受網においては越前クラゲ等の傘長が約２メートルに達する大型クラゲが魚と一緒に漁網内に取込まれると、漁獲目的の魚が弱ったり、漁網が損傷を受けたりして被害甚大である。
【００２６】
本発明はこれらの点に鑑みてなされたものであり、魚を任意な時に大きさに応じて分離することができ、しかも構造も簡単である魚分離部を備えた漁網を提供することを目的とする。
【００２７】
また、本発明は各用途毎の網に魚分離部を備えることによりその用途に応じて適正に魚を分離させる漁法を行うことのできる魚分離部を備えた漁網を提供することを他の目的とする。
【００２８】
また、本発明は大型クラゲのみを選択して漁網の外部にそのまま若しくは切断して排出することができる魚分離部を備えた漁網を提供することを他の目的とする。
【課題を解決するための手段】
【００２９】
前記目的を達成するために本発明の魚分離部を備えた漁網は、網本体の一部に当該網本体より目合いの大きい分離目合い部を設け、その分離目合い部の外側に当該分離目合い部を開放・隠蔽自在とする当該分離目合い部より目合いの小さいフリー網部を設けたことを特徴とする。これにより、フリー網部により分離目合い部を隠蔽させた状態にすることにより魚を網本体内に保持することができ、フリー網部による隠蔽を任意な時に開放することにより、網本体内の魚であって分離目合い部を通過できる大きさの魚を網本体外へ分離させることができる。
【００３０】
また、本発明において、分離目合い部のフリー網部の反対側に、当該分離目合い部の全体を隠蔽する大きさを有するとともに、目合いの大きさが当該分離目合い部より小さく、かつ、前記フリー網部より大きい副分離網を着脱自在に設けるとよい。これにより副分離網を装着することにより、分離する魚の大きさを自由に選択することができる。
【００３１】
また、本発明において、前記分離目合い部を大型クラゲを漁網の外部へ排出できる大きさの目合いに形成するとともに、前記副分離網を前記分離目合い部との間に前記大型クラゲを収容できるように設置するとよい。これにより漁網の内部に取込まれた大型クラゲを副分離網と分離目合い部との間に一旦収容するとともに漁獲対象魚は副分離網と漁網との正規の収穫部内に保持した状態とし、その後フリー網部を開放して分離目合い部を通して大型クラゲのみを漁網の外部へ排出させることができる。
【００３２】
また、本発明において、前記分離目合い部を大型クラゲより小さい目合いで、かつ、大型クラゲを漁網の外部に排出する時に大型クラゲを切断できる素材、例えばワイヤーやピアノ線によって形成するとよい。これにより大型クラゲを漁網の外部に排出させる時に、大型クラゲを切断して殺傷させることができる。
【００３３】
また、本発明において、フリー網部の上辺部は分離目合い部の上辺部に着脱自在とされているとともに沈降用の沈子が設けられており、フリー網部の他の辺は分離目合い部の他の辺に固着されていることを特徴とする。これにより、フリー網部の上辺部を分離目合い部の上辺部から外すことにより、フリー網部は沈子の重さによって自動的に下方に沈降して、分離目合い部を開放し、網本体内の魚のうち分離目合い部若しくは副分離網の目合いより小さい魚を網本体の外部に分離させることができる。
【００３４】
また、本発明において、漁網は、旋網、定置網、棒受網、生簀網のいずれかからなることを特徴とする。これにより各網の用途に応じて適正に魚を分離させた漁法を行うことができる。
【発明の効果】
【００３５】
このように本発明の魚分離部を備えた漁網は構成され作用するものであるから、魚を任意な時に大きさに応じて分離することができ、しかも構造も簡単である魚分離部を備えた漁網を提供することができる。
【００３６】
具体的には、フリー網部により分離目合い部を隠蔽させた状態にすることにより魚を網本体内に保持することができ、フリー網部による隠蔽を任意な時に開放することにより、網本体内の魚であって分離目合い部を通過できる大きさの魚を網本体外へ分離させることができる。
【００３７】
また、着脱自在な副分離網を設けることにより、副分離網を装着することによって、分離する魚の大きさを自由に選択することができる。
【００３８】
また、フリー網部の上辺部を分離目合い部の上辺部から外すことにより、フリー網部は沈子の重さによって自動的に下方に沈降して、分離目合い部を開放し、網本体内の魚のうち分離目合い部若しくは副分離網の目合いより小さい魚を網本体の外部に分離させることができる。
【００３９】
また、分離目合い部を大型クラゲを漁網の外部へ排出できる大きさの目合いに形成するとともに、副分離網を分離目合い部との間に大型クラゲを収容できるように設置することによって、漁獲対象魚は正規の収穫部内に保持した状態とし、大型クラゲのみを漁網の外部へ排出させることができる。
【００４０】
また、分離目合い部を大型クラゲより小さい目合いで、かつ、大型クラゲを漁網の外部に排出する時に大型クラゲを切断できる素材、例えばワイヤーやピアノ線によって形成することによって、大型クラゲを漁網の外部に排出させる時に、大型クラゲを切断して殺傷させることができる。
【００４１】
また、旋網、定置網、棒受網、生簀網のいずれかの漁網に本発明の構成を適応すると、各網の用途に応じて適正に魚を分離させた漁法を行うことができる。
【発明を実施するための最良の形態】
【００４２】
次に、本発明の実施の形態を図１から図８ついて説明する。
【００４３】
図１〜図３は本発明の魚分離部を備えた漁網を旋網に適応した１実施形態を示している。
【００４４】
本実施形態の旋網１ａは、図１に示すように、網本体２の魚捕部２ｃの上端部の一部に分離目合い部２１とフリー網部２２とを設けたものであり、その他は図９に示す従来例と同様に形成してある。従来例と同一部分には同一符号を付してある。
【００４５】
更に説明すると、網本体２は全体が漁獲対象魚が通過できない目合いの網をもって形成されており、その魚捕部２ｃの上端部の一部に小型魚が通過できる目合いの大きい横に長い長方形状の分離目合い部２１を設け、その分離目合い部２１の外側に分離目合い部２１を開放・隠蔽自在とする漁獲対象魚が通過できない目合い（本実施形態においては他の網本体２の部分の目合いと同一の目合い）のフリー網部２２を設けたものである。
【００４６】
図２に示すように、このフリー網部２２の上辺部２２ａは分離目合い部２１の上辺部２１ａの長さの１．２〜２倍の長さ（同図実線状態参照）に形成されているとともに、分離目合い部２１の上辺部２１ａの長さに合わせるように途中を折り曲げて（同図破線状態参照）連結紐等を緊締させて取付けられる。そして、この連結紐等を緊締したり弛めたりすることによりフリー網部２２の上辺部２２ａを分離目合い部２１の上辺部２１ａに着脱自在（図２の破線状態と実線状態とを参照）とされている。更に、フリー網部２２の上辺部２２ａには沈降用の複数の沈子２３が設けられている。更に、フリー網部２２の他の辺２２ｂ、２２ｃ、２２ｄは分離目合い部２１の他の辺２１ｂ、２１ｃ、２１ｄに固着されている。
【００４７】
次に、本実施形態の旋網１ａの作用を説明する。
【００４８】
漁獲対象魚を捕獲するまでの操業は、フリー網部２２の上辺部２２ａを分離目合い部２１の上辺部２１ａに連結紐を緊締することにより固定して（図２の破線状態参照）、分離目合い部２１の外側を隠蔽して、網本体２から漁獲対象魚が逃避不可能な状態として行う。
【００４９】
漁獲対象魚の捕獲後の旋網１ａの揚網が進み、図３に示すような魚締めを行う場合に、運搬船をフリー網部２２に接近させて連結紐の緊締を解除する。これによりフリー網部２２の上辺部２２ａが複数の沈子２３の重さによって自動的に下方に沈降する（図２の実線参照）。これによりフリー網部２２の内側に位置している分離目合い部２１が開放されて、図３の状態になる。そして、分離目合い部２１が開放されると、旋網１ａ内に捕獲された魚のうち漁獲対象魚Ａより小さい小型魚Ｂが分離目合い部２１から旋網１ａの外部に分離されて逃避してゆく。
【００５０】
これにより本実施形態の旋網１ａによれば、漁業資源の保護を図ることができ、更に海中において漁獲対象魚Ａと小型魚Ｂとの魚の分離、選別を行うことができるので、従来船上において行っていた選別作業を省略することもでき、旋網操業効率を向上させることができる。
【００５１】
また、本実施形態においては、分離目合い部２１とフリー網部２２とを魚捕部２ｃに設けているが、他の部分に設けてもよく、両者の形状を長方形以外の形状に形成してもよい。また、分離目合い部２１の開放のタイミングは、獲対象魚より小さい小型魚を確実に逃避させることのできる場合であれば、魚締め以外の時に行ってもよい。
【００５２】
図４は本発明の魚分離部を備えた漁網を旋網に適応した他の実施形態の分解状態を示す。
【００５３】
本実施形態の旋網１ｂは、図４に示すように、図１〜図３に示す前記実施形態の旋網１ａの分離目合い部２１に対してフリー網部２２と反対側の網本体２内に、分離目合い部２１の全体を隠蔽する大きさを有するとともに、目合いの大きさが分離目合い部２１より小さく、かつ、フリー網部２２より大きい副分離網２４を着脱自在に設けたものである。
【００５４】
更に説明すると、分離目合い部２１は目の粗い縦格子状に形成されていて大きな魚も通過可能にされている。副分離網２４は分離すべき魚の大きさに応じた目合いに形成されていて、上辺部に複数の浮子２５が固着させられ、下辺部に沈降用の複数の沈子２６が固着されている。
【００５５】
次に、本実施形態の旋網１ｂの作用を説明する。
【００５６】
漁獲対象魚を捕獲するまでの操業は、フリー網部２２の上辺部２２ａを分離目合い部２１の上辺部２１ａに連結紐を緊締することにより固定して（図２の破線状態参照）、分離目合い部２１の外側を隠蔽し、更に分離目合い部２１の内側に分離すべき魚の大きさに応じた目合いの大きさを有する副分離網２４を予め装着して、網本体２から漁獲対象魚が逃避不可能な状態として行う。
【００５７】
漁獲対象魚の捕獲後の旋網１ｂの揚網が進み、図３に示すような魚締めを行う場合に、運搬船をフリー網部２２に接近させて連結紐の緊締を解除する。これによりフリー網部２２の上辺部２２ａが複数の沈子２３の重さによって自動的に下方に沈降する（図２の実線参照）。これによりフリー網部２２の内側に位置している分離目合い部２１および副分離網２４が開放される。そして、分離目合い部２１および副分離網２４が開放されると、旋網１ｂ内に捕獲された魚のうち漁獲対象魚Ａより小さい小型魚Ｂが副分離網２４および分離目合い部２１を順に通って旋網１ｂの外部に分離されて逃避してゆく。
【００５８】
これにより本実施形態の旋網１ｂによれば、分離すべき魚の大きさに応じた副分離網２４を用いることにより、魚の分離、選別を行うことが容易に選択でき、また構造も簡単なものとなる。
【００５９】
また、図４に示すように旋網１ｂより分離された小型魚Ｂを収容する収容網２７を別途用意することにより、分離された小型魚Ｂを更に生簀網などに輸送して養殖することもできる。
【００６０】
図５は本発明の魚分離部を備えた漁網を棒受網に適応した実施形態を示す。
【００６１】
本実施形態の棒受網３１は、図５に示すように、略矩形箱状に形成されており、漁船の舷側に設置されている棒受網用サイドローラ３２と海面上に浮いている長尺な向こう竹３３との間に展張されている。棒受網３１の向こう竹３３と舷側との間の上端部には複数の浮子３４が固着されている。このように形成されている棒受網３１の向こう竹３３の下方部分の上端部の一部に小型魚が通過できる目合いの大きい横に長い長方形状の分離目合い部３５を設け、その分離目合い部３５の外側に分離目合い部３５を開放・隠蔽自在とする漁獲対象魚が通過できない目合い（本実施形態においては他の網本体２の部分の目合いと同一の目合い）のフリー網部３６を図１〜４に示すフリー網部２２と同様にして設けたものである。
【００６２】
次に、本実施形態の棒受網３１の作用を説明する。
【００６３】
図５に示すように、棒受網３１の船上への揚網が進んだ段階において、運搬船を向こう竹３３に接近させて、フリー網部３６のを上端部を向こう竹３３に連結している連結紐の緊締を解除する。これによりフリー網部３６の上辺部３６ａが複数の沈子３７の重さによって自動的に下方に沈降する。これによりフリー網部３６の内側に位置している分離目合い部３５が開放される。そして、分離目合い部３５が開放されると、棒受網３１内に捕獲された魚のうち漁獲対象魚Ａより小さい小型魚Ｂが分離目合い部３６を通って棒受網３１の外部に分離されて逃避してゆく。
【００６４】
これにより本実施形態の棒受網３１によれば、分離すべき魚の大きさに応じて魚の分離、選別を行うことが容易に選択でき、また構造も簡単なものとなる。
【００６５】
図６および図７は、本発明の漁網の他の実施形態を示し、漁獲対象魚と一緒に漁網内に取込まれた大型クラゲのみを選択して漁網の外部にそのまま若しくは切断して排出することができる魚分離部を備えた漁網である。
【００６６】
本実施形態の漁網の基本構成は図４に示す実施形態とほぼ同一の旋網１ｃである。
【００６７】
本実施形態の旋網１ｃは、図６に示すように、旋網１ｃの分離目合い部２１を大型クラゲＣを旋網１ｃの外部へ排出できる大きさの目合い、または大型クラゲＣより小さい目合いで、かつ、大型クラゲＣを旋網１ｃの外部に排出する時に大型クラゲＣを切断できる素材、例えばワイヤーやピアノ線等の線材２１ｅによって目合いを形成している。この分離目合い部２１の外側には図４と同様にフリー網部２２が装着されている。本実施形態の副分離網２４は分離目合い部２１との間に大型クラゲＣを収容できる袋を形成する大きさと形状を有しており、フリー網部２２と同様に上辺部２４ａには沈降用の複数の沈子２６が設けられており、他の辺２４ｂ、２４ｃ、２４ｄは分離目合い部２１の他の辺２１ｂ、２１ｃ、２１ｄに固着されている。この副分離網２４は分離すべき魚の大きさに応じた目合いに形成されている。
【００６８】
次に、本実施形態の旋網１ｃの作用を説明する。
【００６９】
漁獲対象魚を捕獲するまでの操業は、フリー網部２２の上辺部２２ａを分離目合い部２１の上辺部２１ａに連結紐を緊締することにより固定して（図２の破線状態参照）、分離目合い部２１の外側を隠蔽し、更に分離目合い部２１の内側の副分離網２４を上辺部２４ａに固着した沈子２６の重さにより沈降させて図７（ａ）に示すように、折り畳み状態とさせておき、網本体２から漁獲対象魚が逃避不可能な状態として行う。
【００７０】
漁獲対象魚の捕獲後の旋網１ｃの揚網が進み、図３に示すような魚締めを行う際に、漁網内に大型クラゲＣが取込まれている場合には、図７（ｂ）に示すように、副分離網２４の適宜箇所に先端を固着した複数の引上げロープ２８をもって副分離網２４を袋状に拡げながら持ち上げて、分離目合い部２１と副分離網２４との間に大型クラゲＣを収容させる。これにより漁網１ｃの内部に取込まれた大型クラゲＣを副分離網２４と分離目合い部２１との間に一旦収容するとともに漁獲対象魚は副分離網２４と漁網１ｃとの正規の収穫部内に保持した状態とされる。
【００７１】
次ぎに、フリー網部２２の連結紐の緊締を解除する。これにより図７（ｃ）に示すように、フリー網部２２の上辺部２２ａが複数の沈子２３の重さによって自動的に下方に沈降する。これによりフリー網部２２の内側に位置している分離目合い部２１および副分離網２４が開放される。その後、旋網１ｃの外側からポンプによって分離目合い部２１越しに海水を吸出すことによって大型クラゲＣを旋網１ｃの外部に吸出したり、旋網１ｃの内部から外に向けてポンプによって海水を噴出させることにより大型クラゲＣを分離目合い部２１から旋網１ｃの外側に押出すようにする。また、図７（ｄ）に示すように、旋網１ｃの底部を強制的に引上げて、分離目合い部２１を大型クラゲＣの下側になるように移動させて、大型クラゲＣを自重によって分離目合い部２１より旋網１ｃの外部に排出させるとよい。
【００７２】
これにより漁獲対象魚を旋網１ｃ内に残した状態で大型クラゲＣのみを旋網１ｃの外に排出させることができる。
【００７３】
更に、本実施形態において、分離目合い部２１を大型クラゲＣより小さい目合いで、かつ、大型クラゲＣを漁網の外部に排出する時に大型クラゲＣを切断できる素材、例えばワイヤーやピアノ線等の線材２２ｅによって形成しておくと、大型クラゲＣがを分離目合い部２１を通過する際に線材２２ｅによって細かく切断されて、殺傷される。これにより大型クラゲＣを抹殺させて生物環境を大きく改善させることができる。
【００７４】
勿論、図４の実施形態と同様に、分離目合い部２１および副分離網２４が開放されると、旋網１ｃ内に捕獲された魚のうち漁獲対象魚Ａより小さい小型魚Ｂが副分離網２４および分離目合い部２１を順に通って旋網１ｃの外部に逃避してゆく。
【００７５】
これにより本実施形態の旋網１ｃによれば、大型クラゲＣを旋網１ｃから確実に排出させることができ、しかも排出時に大型クラゲＣを抹殺することもでき、更に、分離すべき魚の大きさに応じた副分離網２４を用いることにより、魚の分離、選別を行うことが容易に選択でき、また構造も簡単なものとなる。
【００７６】
図８は大型クラゲＣの排出が可能な本発明の魚分離部を備えた漁網を棒受網に適応した実施形態を示す。
【００７７】
本実施形態の棒受網３１は、図５に示す網受網３１の分離目合い部３５を大型クラゲＣを棒受網３１の外部へ排出できる大きさの目合い、または大型クラゲＣより小さい目合いで、かつ、大型クラゲＣを棒受網３１の外部に排出する時に大型クラゲＣを切断できる素材、例えばワイヤーやピアノ線等の線材３１ｅによって目合いを形成し、分離目合い部３５の内側に図６と同様の副分離網２４を設置したものであり、その他は図５に示す棒受網３１と同様に形成されている。
【００７８】
本実施形態において大型クラゲＣを排出させる場合には図６に示す旋網１ｃの場合と同様に作業を進めるとよい。
【００７９】
具体的には、漁獲対象魚の捕獲後の棒受網３１のある程度の揚網が進んだ段階で漁網内に大型クラゲＣが取込まれている場合には、図７（ｂ）に示すように、副分離網２４の適宜箇所に先端を固着した複数の引上げロープ２８をもって副分離網２４を袋状に拡げながら持ち上げて、分離目合い部３５と副分離網２４との間に大型クラゲＣを収容させる。これにより棒受網３１の内部に取込まれた大型クラゲＣを副分離網２４と分離目合い部３５との間に一旦収容するとともに漁獲対象魚は副分離網２４と棒受網３１との正規の収穫部内に保持した状態とされる。
【００８０】
次ぎに、フリー網部３６の連結紐の緊締を解除する。これにより図７（ｃ）に示すように、フリー網部３６の上辺部３６ａが複数の沈子３７の重さによって自動的に下方に沈降する。これによりフリー網部３６の内側に位置している分離目合い部３５および副分離網２４が開放される。その後、棒受網３１の外側からポンプによって分離目合い部３５越しに海水を吸出すことによって大型クラゲＣを棒受網３１の外部に吸出したり、棒受網３１の内部から外に向けてポンプによって海水を噴出させることにより大型クラゲＣを分離目合い部３５から棒受網３１の外側に押出すようにする。また、図７（ｄ）に示すように、棒受網３１の底部を強制的に引上げて、分離目合い部３５を大型クラゲＣの下側になるように移動させて、大型クラゲＣを自重によって分離目合い部３５より棒受網３１の外部に排出させるとよい。
【００８１】
これにより漁獲対象魚を棒受網３１内に残した状態で大型クラゲＣのみを棒受網３１の外に排出させることができる。
【００８２】
更に、本実施形態において、分離目合い部３５を大型クラゲＣより小さい目合いで、かつ、大型クラゲＣを漁網の外部に排出する時に大型クラゲＣを切断できる素材、例えばワイヤーやピアノ線等の線材３５ｅによって形成しておくと、大型クラゲＣがを分離目合い部３５を通過する際に線材３５ｅによって細かく切断されて、殺傷される。これにより大型クラゲＣを抹殺させて生物環境を大きく改善させることができる。
【００８３】
また、本発明の構成を前記各実施形態の旋網および棒受網以外の定置網、生簀網のいずれかの漁網に適応すると、各網の用途に応じて適正に魚を分離させた漁法を行うことができる。
【００８４】
定置網や棒受網においては、魚の取出しを行うために、例えば図４に示す構成を適用すると、定置網や棒受網内に捕獲されている魚の中より、取り出す魚の大きさに対応する副分離網を用いることにより、所望の大きさの魚を取り出すことができる。
【００８５】
生簀網においては、養殖による成長が進むにつれて大きさが異なってしまう場合においても、隣接する生簀網の間を分割している網に対して本発明の構成を適用することにより、魚の峻別が必要な時にフリー網部により分離目合い部を開放すると、フリー目合い部若しくは副分離網の目合いの大きさを通過できる大きさの魚をとなりの生簀網に分離させることができる。また、図４に示すように、収容網２７を別途用意することにより、分離された小型魚を更に他の生簀網などに輸送して養殖することもできる。
【００８６】
なお、本発明は前記実施の形態に限定されるものではなく、必要に応じて変更することができる。
【図面の簡単な説明】
【００８７】
【図１】本発明の魚分離部を備えた漁網を旋網に適応した１実施形態を示す正面図
【図２】図１の旋網の分離目合い部およびフリー網部を示す分解斜視図
【図３】図１の旋網による操業状態を示す斜視図
【図４】本発明の魚分離部を備えた漁網を旋網に適応した他の実施形態を示す分解斜視図
【図５】本発明の魚分離部を備えた漁網を棒受網に適応した１実施形態を示す斜視図
【図６】本発明の大型クラゲを排出できる魚分離部を備えた漁網を旋網に適応した他の実施形態の操業状態を示す斜視図
【図７】（ａ）〜（ｄ）は図６の旋網による大型クラゲの排出構成を示す断面図
【図８】本発明の大型クラゲを排出できる魚分離部を備えた漁網を棒受網に適応した他の実施形態を示す斜視図
【図９】従来の旋網の１例を示す正面図
【図１０】従来の旋網による操業状態を示す斜視図
【図１１】従来の旋網による他の操業状態を示す斜視図
【符号の説明】
【００８８】
１ａ、１ｂ、１ｃ  旋網
２  網本体
２ｃ  魚捕部
２１、３５  分離目合い部
２１ａ  上辺部
２２、３６  フリー網部
２２ａ、３６ａ  上辺部
２３、３７  沈子
２４  副分離網
３１  棒受網
【図１】
2006304787.tif 000003
【図２】
2006304787.tif 000004
【図３】
2006304787.tif 000005
【図４】
2006304787.tif 000006
【図５】
2006304787.tif 000007
【図６】
2006304787.tif 000008
【図７】
2006304787.tif 000009
【図８】
2006304787.tif 000010
【図９】
2006304787.tif 000011
【図１０】
2006304787.tif 000012
【図１１】
2006304787.tif 000013